(57)【要約】【課題】実運用に適した媒体処理装置を提供する。【解決手段】媒体処理装置は、媒体の処理を実行する媒体処理装置であって、前記処理に関する第１操作の受け付け、及び、前記媒体処理装置の状態に関する第１情報の表示を行う第１操作表示部と、前記処理に関する第２操作の受け付け、及び、前記媒体処理装置の状態に関する第２情報の表示を行う第２操作表示部と、を備える。【選択図】図１
2019079252.tif 000002
【特許請求の範囲】
【請求項１】
媒体の処理を実行する媒体処理装置であって、
前記処理に関する第１操作の受け付け、及び、前記媒体処理装置の状態に関する第１情報の表示を行う第１操作表示部と、
前記処理に関する第２操作の受け付け、及び、前記媒体処理装置の状態に関する第２情報の表示を行う第２操作表示部と、を備える、
媒体処理装置。
【請求項２】
前記第２操作表示部が前記第２操作を受け付けている間、又は、前記第２操作に従って前記処理が実行されている間に、前記第１操作表示部は、前記第１操作の受け付け及び前記第１情報の表示の少なくとも一方を行い、
前記第１操作表示部が前記第１操作を受け付けている間、又は、前記第１操作に従って前記処理が実行されている間に、前記第２操作表示部は、前記第２操作の受け付け及び前記第２情報の表示の少なくとも一方を行う、
請求項１に記載の媒体処理装置。
【請求項３】
前記第１情報は、前記第１操作に関する情報を含んでおり、
前記第２情報は、前記第２操作に関する情報を含んでいる、
請求項１又は２に記載の媒体処理装置。
【請求項４】
前記第１情報及び前記第２情報は、前記処理の内容に関する情報を含む、
請求項１から３のいずれかに記載の媒体処理装置。
【請求項５】
前記第１情報は、前記第１操作に従って実行される前記処理の内容に関する情報を含み、
前記第２情報は、前記第２操作に従って実行される前記処理の内容に関する情報を含む、
請求項４に記載の媒体処理装置。
【請求項６】
前記第１情報は、前記第２操作に従って実行される前記処理の内容に関する情報を含み、
前記第２情報は、前記第１操作に従って実行される前記処理の内容に関する情報を含む、
請求項４又は５に記載の媒体処理装置。
【請求項７】
前記媒体の投入及び排出の少なくとも一方が行われる開口部と、
前記開口部に接続され、投入された又は排出される前記媒体を所定方向に搬送する搬送部と、を更に備える、
請求項１から６のいずれかに記載の媒体処理装置。
【請求項８】
前記第１操作及び前記第２操作は、ぞれぞれ、前記所定方向に略沿う方向への操作者の体の一部の移動による操作を含む、
請求項７に記載の媒体処理装置。
【請求項９】
前記第１情報は、前記所定方向に略沿う方向を示す情報を含み、
前記第２情報は、前記所定方向に略沿う方向を示す情報を含む、
請求項７又は８に記載の媒体処理装置。
【請求項１０】
前記開口部は、前記第１操作表示部及び前記第２操作表示部の少なくとも一方における表示内容と連動して光を発する発光部を有する、
請求項７から９のいずれかに記載の媒体処理装置。
【請求項１１】
前記第１操作表示部及び前記第２操作表示部は、それぞれ、前記所定方向に平行で前記開口部の中心を含む平面を介して互いに隣接する一方側の領域内及び他方側の領域内に、前記開口部を挟むように配置されている、
請求項７から１０のいずれかに記載の媒体処理装置。
【請求項１２】
前記平面に直交するとともに前記他方側の領域から前記一方側の領域に向かう方向を正方向とするＸ軸と、前記Ｘ軸に直交する水平なＹ軸と、前記Ｘ軸及び前記Ｙ軸に直交する鉛直なＺ軸とからなる右手系直交座標系中の水平面上に置かれた場合、
前記第１操作表示部の少なくとも一部を占める第１領域の法線ベクトルは、Ｘ成分が正となるとともに、Ｙ成分が負及び／又はＺ成分が正となり、
前記第２操作表示部の少なくとも一部を占める第２領域の法線ベクトルは、Ｘ成分が負となるとともに、少なくともＹ成分が負又はＺ成分が正となる、
請求項１１に記載の媒体処理装置。
【請求項１３】
前記第１領域及び、前記第２領域の形状は、それぞれ、曲面である、
請求項１２に記載の媒体処理装置。
【請求項１４】
前記第１情報及び前記第２情報の少なくとも一方は、前記媒体処理装置のハードウェアの状態に関する情報を含む、
請求項１から１３のいずれかに記載の媒体処理装置。
【請求項１５】
前記媒体を収納する収納部を更に備え、
前記第１情報及び前記第２情報の少なくとも一方は、前記収納部に収納されている前記媒体に関する情報を含む、
請求項１から１４のいずれかに記載の媒体処理装置。
【請求項１６】
前記第１操作表示部及び前記第２操作表示部は、それぞれタッチパネルである、
請求項１から１５のいずれかに記載の媒体処理装置。
【請求項１７】
前記処理の予約に関する予約情報を外部から受信する受信部を更に備え、
前記第１情報及び前記第２情報の少なくとも一方は、前記予約情報に関する情報を含む、
請求項１から１６のいずれかに記載の媒体処理装置。
【請求項１８】
前記処理に関する第３操作の受け付け、及び、前記媒体処理装置の状態に関する第３情報の表示を行う第３操作表示部を更に備える、
請求項１から１７のいずれかに記載の媒体処理装置。
【発明の詳細な説明】
【技術分野】
【０００１】
本発明は、媒体に対して種々の処理を行う有価媒体処理装置に関する。
【背景技術】
【０００２】
媒体処理装置の中には、例えば特許文献１に開示されるような、媒体として紙幣を処理する紙幣処理装置がある。この紙幣処理装置は、この紙幣処理装置を挟んで位置する２人の操作者によって共用される。この紙幣処理装置は、例えば入金処理のような紙幣の処理を、１度に１つしか実行できない。よって、この紙幣処理装置は、常に、いずれかの操作者によって占有された状態で紙幣の処理を実行する。
【０００３】
この紙幣処理装置は、操作者がこの紙幣処理装置を占有するために押し下げ操作する占有ボタンを、各操作者側に１つずつ有している。これらの占有ボタンはランプを内蔵している。操作者がいずれかの占有ボタンを押し下げると、その操作者によって押された占有ボタン内のランプが点灯する。このランプの点灯状態が、いずれの操作者によって紙幣処理装置が占有されているかという情報を示している。
【先行技術文献】
【特許文献】
【０００４】
【特許文献１】実開昭６２−１４６２７２号公報
【発明の概要】
【発明が解決しようとする課題】
【０００５】
しかしながら、このような占有ボタンは、紙幣処理装置の占有情報以外の情報を示すことができない。よって、このような占有ボタンを有する紙幣処理装置は、必ずしも実運用に適しているとは言えない。
【０００６】
本発明は、このような状況に鑑みなされたものであり、操作性のよい媒体処理装置を提供することを課題とする。
【課題を解決するための手段】
【０００７】
本発明に係る媒体処理装置は、媒体の処理を実行する媒体処理装置であって、前記処理に関する第１操作の受け付け、及び、前記媒体処理装置の状態に関する第１情報の表示を行う第１操作表示部と、前記処理に関する第２操作の受け付け、及び、前記媒体処理装置の状態に関する第２情報の表示を行う第２操作表示部と、を備える。
【発明の効果】
【０００８】
本発明によれば、実運用に適した媒体処理装置を提供することができる。
【図面の簡単な説明】
【０００９】
【図１】一実施形態に係る紙幣処理装置の斜視図。
【図２Ａ】第１操作表示部の操作態様の一例を示す図。
【図２Ｂ】第１操作表示部の操作態様の他の例を示す図。
【図２Ｃ】第１操作表示部の操作態様の更に他の例を示す図。
【図３Ａ】第１操作表示部の表示態様の一例を示す図。
【図３Ｂ】第１操作表示部の表示態様の他の例を示す図。
【図３Ｃ】第１操作表示部の表示態様の更に他の例を示す図。
【図４】他の実施形態に係る紙幣処理装置の上部の斜視図。
【発明を実施するための形態】
【００１０】
以下、本発明の実施の形態について、図面を用いて詳細に説明する。以下の説明では、本発明に係る媒体処理装置の代表例として、媒体として紙幣を処理する紙幣処理装置について説明する。
【００１１】
図１は、本実施形態に係る紙幣処理装置１の斜視図である。本実施形態に係る紙幣処理装置１は、紙幣の入金処理及び出金処理等の様々な紙幣処理を行うことができる装置である。紙幣処理装置１は、例えば、銀行等の店舗のフロント領域に設置される。
【００１２】
図１には、紙幣処理装置１が、水平面上に置かれた状態が示されている。
【００１３】
また、図１には、右手系直交座標系を構成するＸ軸、Ｙ軸及びＺ軸が描かれている。Ｘ軸は、いずれも後に説明する第２操作表示部１６から第１操作表示部１５に向かう方向を正とする軸である。Ｚ軸は、鉛直上向きを正とする軸である。Ｙ軸は、Ｘ軸及びＺ軸と直交して右手座標系を構成する軸である。また、Ｙ軸とＺ軸が構成するＹＺ平面は、後に説明する搬送部による紙幣搬送方向、特に、後に説明する入金部１１及び／又は出金部１２の近傍における紙幣搬送方向に平行な平面である。
【００１４】
すなわち、図１には、このような直交座標系中の水平面上に置かれた紙幣処理装置１が示されている。
【００１５】
このような直交座標系中において、紙幣処理装置１の前側は、Ｙ軸負方向側であり、紙幣処理装置１の上側は、Ｚ軸正方向側であり、紙幣処理装置１の右側は、Ｘ軸正方向側であり、紙幣処理装置１の左側は、Ｘ軸負方向側である。
【００１６】
紙幣処理装置１は、上側の処理部１０と、下側の収納庫２０とから構成されている。
【００１７】
処理部１０は、その上側且つ前側であって、その左右方向中央に、入金部１１を備えている。入金部１１は、紙幣を受け入れる受入ホッパ、受入ホッパ上の紙幣を１枚ずつ紙幣処理装置１の内部に繰り出す紙幣操出機構等を有する。入金部１１には入金口が形成されている。操作者は、入金口を介して、入金部１１内に紙幣を載置する。
【００１８】
処理部１０は、その上部且つ入金部１１より前側であって、その左右方向中央に、出金部１２を備えている。出金部１２は、紙幣を載置する載置部、載置部上に紙幣を１枚ずつ送り出すとともに紙幣を整列させる羽根車等を有する。出金部１２には出金口が形成されている。操作者は、出金口を介して、出金部１２内から紙幣を取り出す。
【００１９】
なお、処理部１０は、入金部１１及び出金部１２の少なくとも一方に代えて、あるいはそれらに加えて、入出金口が形成されているとともに入金部１１及び出金部１２の機能を併せ持つ入出金部を備えていてもよい。本明細書においては、入金部１１、出金部１２及び入出金部を総称して開口部と記載する。
【００２０】
処理部１０は、その内部に、図示しない搬送部を備えている。搬送部は、ローラ及びモータ等からなり、入金部１１、出金部１２、及び、紙幣処理装置１内のその他の部分の間で、紙幣を搬送する。搬送部による紙幣の搬送方向は、ＹＺ平面に平行な方向である。具体的には、入金部１１の近傍において、搬送部は、Ｙ成分が正である方向に（すなわち、奥側に向けて）、投入された紙幣を搬送する。また、出金部１２の近傍において、搬送部は、Ｙ成分が負である方向に（すなわち、前側に向けて）、排出される紙幣を搬送する。
【００２１】
処理部１０は、その内部に、図示しない識別部を備えている。識別部は、各種センサを有するとともに搬送部の近傍に配置されており、搬送部によって搬送される紙幣の金種、正損及び真偽等を識別する。
【００２２】
処理部１０は、その内部に、図示しない制御部を備えている。制御部は、ＣＰＵ及びメモリ等から構成されている。制御部は、紙幣処理装置１を構成する各部と接続されており、それら各部を制御することで、紙幣処理装置１を統括制御する。例えば、制御部は、識別部から識別結果に関する情報を受け取り、この情報の内容に応じて搬送部を制御し、紙幣の搬送先を切り替える。なお、紙幣処理装置１の外部に設けられたコンピュータ等の情報処理装置が、紙幣処理装置１を構成する各部と通信することによって、制御部を代替してもよい。
【００２３】
処理部１０は、その前方且つ出金部１２よりも下側に、リジェクト紙幣排出部１３を備えている。リジェクト紙幣排出部１３は、識別部によってリジェクト紙幣であると識別された紙幣を紙幣処理装置１の内部から排出する。なお、リジェクト紙幣とは、所定の処理で処理対象とできない紙幣をいう。リジェクト紙幣には、例えば、偽札や、識別部を斜行状態や重送状態で通過したために識別部によって正しく識別されなかった紙幣が含まれる。
【００２４】
リジェクト紙幣排出部１３は、リジェクト紙幣を載置するリジェクト紙幣載置部、リジェクト紙幣載置部上にリジェクト紙幣を１枚ずつ送り出すとともにリジェクト紙幣を整列させるリジェクト紙幣用羽根車等を有する。リジェクト紙幣排出部１３は、更に、リジェクト紙幣がリジェクト紙幣排出部１３から飛び出すことを防止するリジェクト紙幣ストッパ１４を有する。
【００２５】
処理部１０は、その上側、前側且つ右側に、第１操作表示部１５を備えている。言い換えると、処理部１０は、搬送部による紙幣の搬送方向に平行（すなわち、ＹＺ平面に平行）で、入金部１１、出金部１２及びリジェクト紙幣排出部１３がそれぞれ有する各開口の中心（少なくともＸ軸方向の中心）を含む平面の右側（一方側）に位置する領域内に、第１操作表示部１５を備えている。
【００２６】
第１操作表示部１５は、占有ボタンの機能を有している。紙幣処理装置１がいずれの操作者にも占有されていない待機状態において、第１操作表示部１５がタッチされると、制御部は、第１操作表示部１５の表示内容を切り替える。例えば、第１操作表示部１５の表示内容は、待機時に表示する待機画面から、操作を受け付ける操作画面に切り替わる。そして、紙幣処理装置１は、第１操作表示部１５を操作する操作者によって占有された状態となる。
【００２７】
第１操作表示部１５は、紙幣処理装置１による紙幣の処理に関する操作を受け付け、紙幣処理装置１の状態に関する情報の表示を行う。本明細書では、必要に応じて、第１操作表示部１５を操作する操作者、第１操作表示部１５を介して行う操作及び第１操作表示部１５に表示される情報を、それぞれ、第１操作者、第１操作及び第１情報と記載する。
【００２８】
第１操作表示部１５は、例えばタッチパネルである。
【００２９】
処理部１０は、その上側、前側且つ左側に、第２操作表示部１６を備えている。言い換えると、処理部１０は、搬送部による紙幣の搬送方向に平行（すなわち、ＹＺ平面に平行）で、入金部１１、出金部１２及びリジェクト紙幣排出部１３がそれぞれ有する各開口の中心（少なくともＸ軸方向の中心）を含む平面の左側（他方側）に位置する領域内に、第２操作表示部１６を備えている。当然ながら、搬送部による紙幣の搬送方向に平行で、入金部１１等が有する開口の中心を含む平面の右側（一方側）に位置する領域と、この平面の左側（他方側）に位置する領域とは、この平面を介して互いに隣接している。
【００３０】
第２操作表示部１６は、占有ボタンの機能を有している。紙幣処理装置１がいずれの操作者にも占有されていない待機状態において、第２操作表示部１６がタッチされると、制御部は、第２操作表示部１６の表示内容を切り替える。例えば、第２操作表示部１６の表示内容は、待機時に表示する待機画面から、操作を受け付ける操作画面に切り替わる。そして、紙幣処理装置１は、第２操作表示部１６を操作する操作者によって占有された状態となる。
【００３１】
第２操作表示部１６は、紙幣処理装置１による紙幣の処理に関する操作を受け付け、紙幣処理装置１の状態に関する情報の表示を行う。本明細書では、必要に応じて、第２操作表示部１６を操作する操作者、第２操作表示部１６を介して行う操作及び第２操作表示部１６に表示される情報を、それぞれ、第２操作者、第２操作及び第２情報と記載する。
【００３２】
第２操作表示部１６は、例えばタッチパネルである。
【００３３】
第１操作表示部１５は、入金部１１の右側に配置されている。第２操作表示部１６は、入金部１１の左側に配置されている。すなわち、第１操作表示部１５及び第２操作表示部１６は、入金部１１を挟むように配置されている。
【００３４】
なお、第１操作表示部１５及び第２操作表示部１６は、出金部１２、又は、リジェクト紙幣排出部１３を挟むように配置されていてもよい。具体的には、第１操作表示部１５は、出金部１２の右側、又は、リジェクト紙幣排出部１３の右側に配置されていてもよい。また、第２操作表示部１６は、出金部１２の左側、又は、リジェクト紙幣排出部１３の左側に配置されていてもよい。
【００３５】
第１操作表示部１５の外側表面は、紙幣処理装置１の外側に向けて凸である曲面で形成されている。この曲面の少なくとも一部を占める第１領域の法線ベクトルは、Ｘ成分が正となっているとともに、Ｙ成分が負及び／又はＺ成分が正となっている。言い換えると、第１操作表示部１５の外側表面は第１の表面を含み、この第１の表面の法線ベクトルは、Ｘ成分が正となっているとともに、Ｙ成分が負及び／又はＺ成分が正となっている。さらに言い換えると、この曲面の少なくとも第１の表面は、紙幣処理装置１の右側から視認可能であるとともに、紙幣処理装置１の前側及び／又は上側から視認可能である。よって、第１操作表示部１５は、紙幣処理装置１の右側にいる操作者及び前側にいる操作者にとって、視認しやすく、且つ、操作しやすくなっている。
【００３６】
なお、第１操作表示部１５の外側表面は、Ｘ成分が正となっているとともに、Ｙ成分が負及び／又はＺ成分が正となっている法線ベクトルを有する平面であってもよい。言い換えると、第１操作表示部１５の外側表面は、紙幣処理装置１の右側から視認可能であるとともに、紙幣処理装置１の前側及び／又は上側から視認可能な平面であってもよい。
【００３７】
また、第１操作表示部１５の内部にレンズ及び／またはプリズム状の部材を配置することで、紙幣処理装置１の右側及び／又は前側及び／又は上側からの視認性を向上させる形態をとってもよい。
【００３８】
第２操作表示部１６の外側表面は、紙幣処理装置１の外側に向けて凸である曲面で形成されている。この曲面の少なくとも一部を占める第２領域の法線ベクトルは、Ｘ成分が負となっているとともに、Ｙ成分が負及び／又はＺ成分が正となっている。言い換えると、第２操作表示部１６の外側表面は第２の表面を含み、この第２の表面の法線ベクトルは、Ｘ成分が負となっているとともに、Ｙ成分が負及び／又はＺ成分が正となっている。さらに言い換えると、この曲面の少なくとも第２の表面は、紙幣処理装置１の左側から視認可能であるとともに、紙幣処理装置１の前側及び／又は上側から視認可能である。よって、第２操作表示部１６は、紙幣処理装置１の左側にいる操作者及び前側にいる操作者にとって、視認しやすく、且つ、操作しやすくなっている。
【００３９】
なお、第２操作表示部１６の外側表面は、Ｘ成分が負となっているとともに、Ｙ成分が負及び／又はＺ成分が正となっている法線ベクトルを有する平面であってもよい。言い換えると、第２操作表示部１６の外側表面は、紙幣処理装置１の左側から視認可能であるとともに、紙幣処理装置１の前側及び／又は上側から視認可能な平面であってもよい。
【００４０】
また、第２操作表示部１６の内部にレンズ及び／またはプリズム状の部材を配置することで、紙幣処理装置１の左側及び／又は前側及び／又は上側からの視認性を向上させる形態をとってもよい。
【００４１】
第１操作表示部１５及び第２操作表示部１６は、それぞれ、上に説明した位置に、上に説明した向きを向いて設けられている。よって、各操作表示部の表示内容が、いずれの操作者に向けられたものであるのかということを、容易に理解することができる。
【００４２】
収納庫２０は、図示しない収納部を複数備えている。各収納部は、搬送部と接続されている。各収納部は、入金された紙幣を搬送部から受け取って収納する。また、各収納部は、出金するために、収納している紙幣を搬送部に向けて送り出す。
【００４３】
以上のように構成される紙幣処理装置１は、特に限定されるわけではないが、例えば、紙幣処理装置１の左右それぞれに位置する２人の操作者によって共用される。紙幣処理装置１の右側に位置する操作者（第１操作者）は、第１操作表示部１５を用いて紙幣処理装置１を操作する。また、紙幣処理装置１の左側に位置する操作者（第２操作者）は、第２操作表示部１６を用いて紙幣処理装置１を操作する。
【００４４】
前述のとおり、第１操作表示部１５及び第２操作表示部１６は、占有ボタンとしての機能を有している。例えば、紙幣処理装置１が紙幣処理を実行しておらず、処理操作の入力を待っている状態にあるときに、第１操作表示部１５の何れかの位置がタッチされると、第１操作表示部１５から、制御部に、第１操作表示部１５がタッチされた旨の信号が送られる。この信号を受け取ると、制御部は、紙幣処理装置１の状態を、第１操作表示部１５からの紙幣処理に関する操作は受け付けるものの、第２操作表示部１６からの紙幣処理に関する操作は受け付けない状態にする。つまり、制御部は、紙幣処理装置１を、第１操作者によって占有された状態にする。逆の場合も同様である。
【００４５】
なお、このような状態となっても、第１操作者の操作に基づく処理に影響を及ぼさない範囲内で、制御部は、第２操作者による第２操作表示部１６を介した操作の受け付け、及び、第２操作表示部１６での紙幣処理装置１の状態（第２情報）の表示が可能である。逆の場合も同様である。
【００４６】
第１操作表示部１５は、第１操作の内容に応じて、表示内容を切り替えることができる。例えば、複数のステップからなる紙幣処理を実行する場合、次にどのような操作を行うべきかを、表示内容を変えることで第１操作者に情報提供することができる。第２操作表示部１６も同様である。
【００４７】
図２Ａ〜Ｃは、紙幣処理装置１の前側の一部を、右上側から見た斜視図であり、それぞれ、第１操作表示部１５を介した紙幣処理装置１の操作態様の例を示している。なお、図２Ａ〜Ｃに示される紙幣処理装置１は、第１操作表示部１５を操作する第１操作者によって占有された状態にある。
【００４８】
図２Ａは、第１操作者が自らの手Ｈを、第１操作表示部１５の表面に触れながら、矢印で示されるように前側から奥側に動かす（すなわち、スワイプする）操作態様を示している。このような操作を、紙幣の入金処理を指示するための操作とすれば、手Ｈを動かす方向が、入金部１１によって紙幣処理装置１の内部に紙幣が取り込まれて搬送されていく方向と略一致する。具体的には、入金部１１の近傍において、搬送部が紙幣を搬送する方向と、手Ｈを動かす方向は、Ｙ成分が正である方向であるという点で一致する。
【００４９】
よって、第１の操作者は、入金処理時に紙幣が搬送される方向としてイメージする方向と、実際に手Ｈを動かす方向とを略一致させることができる。したがって、第１の操作者は、紙幣処理装置１に入金処理を行わせるための操作を容易且つ直感的に行うことができる。
【００５０】
図２Ｂは、第１操作者が自らの手Ｈを、第１操作表示部１５の表面に触れながら、矢印で示されるように奥側から前側に動かす（すなわち、スワイプする）操作態様を示している。このような操作を、紙幣の出金処理を指示するための操作とすれば、手Ｈを動かす方向が、紙幣処理装置１の内部で出金部１２に向かって紙幣が搬送されていく方向と略一致する。具体的には、出金部１２の近傍において、搬送部が紙幣を搬送する方向と、手Ｈを動かす方向は、Ｙ成分が負である方向であるという点で一致する。
【００５１】
よって、第１の操作者は、出金処理時に紙幣が搬送される方向としてイメージする方向と、実際に手Ｈを動かす方向とを略一致させることができる。したがって、第１の操作者は、紙幣処理装置１に出金処理を行わせるための操作を容易且つ直感的に行うことができる。
【００５２】
図２Ｃは、第１の操作者が自らの手Ｈで、第１操作表示部１５を複数回（例えば３回）タッチする操作態様を示している。このような操作を、例えば、精査処理を指示するための操作とすれば、第１の操作者は、紙幣処理装置１に精査処理を行わせるための操作を容易に行うことができる。なお、精査処理とは、複数の収納部に収納されている紙幣の金種及び枚数を確定するために、収納部に収納されている全ての紙幣を一旦空いている収納部等へ収納した後、この収納部から紙幣を繰り出して識別部により識別して複数の収納部へと戻す処理である。
【００５３】
また、図２Ｃに示される操作は、例えば、緊急通報のための操作としてもよい。例えば、紙幣処理装置１を設置している銀行等の店舗に、強盗が侵入した場合、この操作を行うことで、強盗に気づかれることなく迅速に警察等に通報することができる。もちろん、緊急通報のための操作は、予め定められた所定の操作であればどのようなものであってもよく、例えば、指先で「ＳＯＳ」という文字を書くように、第１操作表示部１５の上を指でなぞる操作であってもよい。
【００５４】
このように、第１操作表示部１５は、１つの操作部であるにもかかわらず、複数種類の様々な操作を受け付けることができる。
【００５５】
これまでに説明された各種操作は、第２操作者によって紙幣処理装置１が占有されている場合に、第２操作表示部１６を介して、第２操作者が行うこともできる。
【００５６】
なお、第１操作表示部１５又は第２操作表示部１６を介した操作は、各操作表示部を操作する操作者の体の一部の移動による操作を含んでいればよい。例えば、タッチパネルからなるこれらの操作表示部に触れる部分は、操作者の肘等、手Ｈ以外の部分であってもよい。また、第１操作表示部１５又は第２操作表示部１６を介した操作は、タッチパネルに体の一部を近づけて移動させる操作を含んでいてもよい。この場合、操作者が手袋又はゴム製指サック等、導電性に劣る物質でできたものを装着していても、各操作表示部は操作を確実に受け付けることができる。
【００５７】
さらに、各操作表示部が、例えば撮像素子や超音波送受信装置等を有するセンサを有しており、これらのセンサが、操作者の体の一部の動き、例えば首の向きの変化又は視線の移動を検出してもよい。すなわち、第１操作表示部１５又は第２操作表示部１６を介した操作は、操作者の体の一部の動きを紙幣の処理に関する操作として受け付けてもよい。
【００５８】
図３Ａ〜Ｃは、紙幣処理装置１の上側の一部を、前側から見た斜視図であり、それぞれ、第１操作表示部１５における第１情報の表示態様の例を示している。なお、図３Ａ〜Ｃに示される紙幣処理装置１は、第１操作表示部１５を操作する第１操作者によって占有された状態にある。
【００５９】
図３Ａは、第１操作表示部１５の一部に光の帯１５Ａが表示されている様子を示している。この光の帯１５Ａは、第１操作表示部１５の前端付近において、右側から左側（外側から中央側）に移動し、続いて、第１操作表示部１５の左端付近において、前側から奥側に移動する。光の帯１５Ａは、必要に応じ、繰り返し表示される。
【００６０】
このような光の帯１５Ａを、紙幣の入金処理の実行中に、第１操作表示部１５に表示すれば、移動経路の少なくとも一部における光の帯１５Ａの移動方向が、入金部１１によって紙幣処理装置１の内部に紙幣が取り込まれて搬送されていく方向と略一致する。具体的には、入金部１１の近傍において、搬送部が紙幣を搬送する方向と、光の帯１５Ａが最後に移動する方向は、Ｙ成分が正である方向であるという点で一致する。
【００６１】
よって、第１の操作者は、入金処理時に紙幣が搬送される方向としてイメージする方向と、光の帯１５Ａが移動する方向とを略一致させることができる。したがって、第１の操作者は、光の帯１５Ａを見ることで、直感的に、現在行われている処理が入金処理であるということを理解することができる。
【００６２】
更に、図２Ａに示されるような操作に応じて、紙幣処理装置１が入金処理を実行するとともに、第１操作表示部１５がこのような光の帯１５Ａを表示するようにすることで、第１操作者に、直感的で効率のよい操作体験を提供することができる。また、従来にないグラフィカルな表示がなされることになるので、紙幣処理装置１の商品価値を向上させることができる。
【００６３】
なお、第１操作表示部１５は、光の帯１５Ａの表示と同時に又はその後に、入金された紙幣の計数結果等の情報を表示してもよい。計数結果は、入金された紙幣の総額であってもよいし、入金された紙幣の金種別や正券と損券といった種類別の枚数であってもよく、またそれらをあわせて表示する形態でもよい。
【００６４】
図３Ｂは、第１操作表示部１５の一部に光の帯１５Ｂが表示されている様子を示している。この光の帯１５Ｂは、第１操作表示部１５の奥側から前側に移動し、続いて、第１操作表示部１５の前端付近において、左側から右側（中央側から外側）に移動する。光の帯１５Ｂは、必要に応じ、繰り返し表示される。
【００６５】
このような光の帯１５Ｂを、紙幣の出金処理の実行中に、第１操作表示部１５に表示すれば、移動経路の少なくとも一部における光の帯１５Ｂの移動方向が、紙幣処理装置１の内部で出金部１２に向かって紙幣が搬送されていく方向と略一致する。具体的には、出金部１２の近傍において、搬送部が紙幣を搬送する方向と、光の帯１５Ｂが最初に移動する方向は、Ｙ成分が負である方向であるという点で一致する。
【００６６】
よって、第１の操作者は、出金処理時に紙幣が搬送される方向としてイメージする方向と、光の帯１５Ｂが移動する方向とを略一致させることができる。したがって、第１の操作者は、光の帯１５Ｂを見ることで、直感的に、現在行われている処理が出金処理であるということを理解することができる。
【００６７】
更に、図２Ｂに示されるような操作に応じて、紙幣処理装置１が出金処理を実行するとともに、第１操作表示部１５がこのような光の帯１５Ｂを表示するようにすることで、第１操作者に、直感的で効率のよい操作体験を提供することができる。また、従来にないグラフィカルな表示がなされることになるので、紙幣処理装置１の商品価値を向上させることができる。
【００６８】
なお、第１操作表示部１５は、光の帯１５Ｂの表示と同時に又はその後に、出金された紙幣の計数結果等の情報を表示してもよい。
【００６９】
図３Ｃは、第１操作表示部１５の一部に光の帯１５Ｃが表示されている様子を示している。この光の帯１５Ｃは、第１操作表示部１５の前端付近且つ右端付近から、前端付近且つ左端付近を経由して、奥側端付近且つ左端付近まで延在している。
【００７０】
光の帯１５Ｃを点灯表示することで、紙幣処理装置１がある状態にあることを表示することができる。また、光の帯１５Ｃを点滅表示することで、紙幣処理装置１が他の状態にあることを表示することができる。更に、光の帯１５Ｃの色を変えることで、紙幣処理装置１が更に他の状態にあることを表示することができる。
【００７１】
例えば、緑色の光の帯１５Ｃを点灯表示させることで、紙幣処理装置１は精査処理を実行中であるという情報を表示させることができる。また、緑色の光の帯１５Ｃを点滅表示させることで、リジェクト紙幣排出部１３にリジェクト紙幣が排出されているという情報を表示させることができる。また、赤色の光の帯１５Ｃを点滅表示させることで、紙幣処理装置１のハードウェアの状態に問題が生じている、例えば、紙幣がどこかで詰まっている、という情報を表示させることができる。
【００７２】
なお、第１操作表示部１５は、光の帯１５Ｃの表示と同時に又はその後に、精査処理で計数された紙幣の計数結果等の情報を表示してもよい。
【００７３】
図３Ａ〜Ｃに示される表示態様は、第１情報の表示態様の例示に過ぎない。例えば、第１情報はテキストを含んでもよい。この場合、第１操作表示部１５は、紙幣処理装置１によって実行されている処理の内容又は状態を、「入金処理中」又は「リジェクト紙幣排出中」のようにテキスト表示する。
【００７４】
また、第１操作表示部１５は、紙幣処理装置１の状態に関する種々の情報を表示することができる。例えば、紙幣処理装置１を占有するための第１操作表示部１５のタッチ操作を受け付けている状態であること、つまり、紙幣処理装置１が非占有状態であることを示す情報を、第１操作表示部１５はテキスト等を用いて表示することができる。あるいは、第１操作表示部１５は、紙幣処理装置１が収納部内に収納している紙幣に関する情報、例えば、金種別枚数又は総額（在高）を、テキスト表示したりグラフ表示したりすることができる。あるいは、第１操作表示部１５は、紙幣処理装置１のハードウェアの状態に関する情報、例えば、紙幣の詰まり等の不具合発生状況、又は、メンテナンス時期が近づいていることに関する情報を、テキスト又は図面等を用いて表示することができる。
【００７５】
これまでの第１操作表示部１５における第１情報の表示についての説明は、第２操作表示部１６における第２情報の表示にも当てはまる。
【００７６】
以上の説明から明らかなように、第１操作表示部１５は、第１操作表示部１５を操作する第１操作者によって紙幣処理装置１が占有されている間に、第１操作を受け付け、第１操作に従って実行される処理に関する情報を表示することができる。また、第２操作表示部１６は、第２操作表示部１６を操作する第２操作者によって紙幣処理装置１が占有されている間に、第２操作を受け付け、この操作に従って実行される処理に関する情報を表示することができる。
【００７７】
しかしながら、第１操作表示部１５及び第２操作表示部１６の機能はこのようなものには限られない。すなわち、第１操作表示部１５は、紙幣処理装置１が第２操作者によって占有されている間に、第１操作の受け付け及び紙幣処理装置１に関する情報の表示の少なくとも一方を行ってもよい。また、第２操作表示部１６は、紙幣処理装置１が第１操作者によって占有されている間に、第２操作の受け付け及び紙幣処理装置１に関する情報の表示の少なくとも一方を行ってもよい。つまり、第１操作者による第１操作表示部１５を介した操作と、第２操作者による第２操作表示部１６を介した操作とを、２人の操作者が同時に行えるようにしてもよい。
【００７８】
例えば、紙幣処理装置１が第２操作者によって占有されている間に、第１操作表示部１５は、第２操作者による占有が終了した後に第１操作者が紙幣処理装置１に実行させたい処理に関する操作を、予め受け付けてもよい。つまり、第１操作表示部１５は、第１操作者による予約操作を受け付けてもよい。第２操作表示部１６も同様である。このようにすれば、１つの紙幣処理装置１を、２人の操作者によって、無駄な時間を発生させることなく、より効率的に、使用することができる。
【００７９】
また、紙幣処理装置１が第２操作者によって占有されている間に、第１操作表示部１５は、第１操作者によって予約された処理に関する情報を、表示してもよい。また、紙幣処理装置１が第２操作者によって占有されている間に、第１操作表示部１５は、第２操作者が第２操作表示部１６を介して指示した処理に関する情報を表示してもよい。このような情報としては、例えば、実行中の処理の内容、実行中の処理が完了するまでの残り時間等がある。第１操作表示部１５がこれらの情報を表示することによって、第１操作者は、紙幣処理の準備を効率的に行うことができる。なお、ここで表示する実行中の処理が完了するまでの残り時間に関する表示は、残り何秒といった正確な時間ではなく、処理における残りステップや、進捗率といった残り時間の目安になる情報の表示でもよい。
【００８０】
また、開口部は、第１操作表示部１５及び第２操作表示部１６の少なくとも一方における表示内容と連動して光を発する発光部を有していてもよい。例えば、リジェクト紙幣排出部１３は、第１操作表示部１５又は第２操作表示部１６にリジェクト紙幣が排出されているという情報が表示されている際に点灯するＬＥＤを有していても良い。このような発光部は、リジェクト紙幣排出部１３にリジェクト紙幣が排出されていることを、より確実に占有中の使用者に認識させることができるとともに、非占有中の使用者にも認識させることができる。したがって、リジェクト紙幣の取り忘れをより確実に防止することができる。
【００８１】
発光部は、例えば、図３Ｃに示される光の帯１５Ｃの点滅と同期して点滅してもよい。また、発光部は、リジェクト紙幣ストッパ１４の内部に設けられてもよいし、リジェクト紙幣排出部１３に形成された開口を囲む枠に設けられてもよい。
【００８２】
発光部は、入金部１１、例えば入金部１１の開口を囲む枠に設けられ、第１操作表示部１５又は第２操作表示部１６における入金処理実行中の旨の表示と連動して点灯又は点滅してもよい。また、発光部は、出金部１２、例えば出金部１２の開口を囲む枠に設けられ、第１操作表示部１５又は第２操作表示部１６における出金処理実行中の旨の表示と連動して点灯又は点滅してもよい。
【００８３】
また、紙幣処理装置１は、紙幣処理の予約を受け付ける外部端末とネットワークを介して接続されてもよい。この外部端末は、例えば、銀行等の店舗の入口付近に設置されており、店舗の顧客等によって操作される端末である。顧客が外部端末を操作すると、顧客が店舗に依頼したい入金処理等の紙幣処理に関する情報、すなわち予約情報が、外部端末から紙幣処理装置１に送信される。
【００８４】
紙幣処理装置１は、この予約情報を受信する図示しない受信部を備えている。受信部が予約情報を受け付けると、制御部は、そのときの紙幣処理装置１の稼働状況に基づき、第１操作表示部１５又は第２操作表示部１６に、予約情報を表示させる。例えば、第２操作表示部１６が受け付けた処理を紙幣処理装置１が実行している最中に、受信部が予約情報を受信した場合は、制御部は、予約情報を第１操作表示部１５に表示させる。
【００８５】
よって、第１操作者は、次に行う処理の内容を、予め知ることができ、その処理の事前準備を行うことができる。よって、顧客を待たせる時間の最小化を図ることができるとともに、ある紙幣処理が完了した後に続けて次の紙幣処理を行うことができる。すなわち、紙幣処理の効率化を図ることができる。
【００８６】
図４は、他の実施形態に係る紙幣処理装置１の上部の一部を、上側、前側且つ右側から見た斜視図である。図４に示される紙幣処理装置１は、第３操作表示部１７を備える点のみが、図１に示される紙幣処理装置１と異なる。
【００８７】
第３操作表示部１７は、第１操作者及び第２操作者とは異なる操作者である第３操作者からの、紙幣処理に関する操作を受け付けるとともに、紙幣処理装置１の状態に関する情報である第３情報の表示を行う。なお、第３操作者とは、紙幣処理装置１の前方側に位置する操作者、又は、通常は操作を直接行うことがない管理者である。
【００８８】
第３操作表示部１７は、紙幣処理装置１の上側且つ入金部１１の奥側に設けられている。紙幣処理装置１がこのような第３操作表示部１７を備えると、第３操作者は、紙幣処理装置１を占有している者（第１操作者又は第２操作者）の業務を止めることなく、紙幣処理装置１を操作することができる。例えば、紙幣処理装置１の処理履歴情報の参照や、在高の確認を行うことが可能である。
【００８９】
第３操作者が第３操作表示部１７を操作している最中も、第１操作表示部１５及び第２操作表示部１６は、先の実施形態に係る紙幣処理装置１が備える第１操作表示部１５及び第２操作表示部１６と同様に機能することができる。
【００９０】
本実施形態に係る紙幣処理装置１によれば、例えば、顧客とのトラブルが発生した場合等、紙幣処理装置１の処理履歴を確認する必要が生じた場合に、第１操作者及び第２操作者の業務に影響を与えることなく、第３操作者が顧客に対応することができる。
【００９１】
以上、本発明に係る媒体処理装置の具体的実施形態について説明してきたが、本発明がこれらの実施形態に限られないことは言うまでもない。例えば、複数の操作表示部に表示される言語は、互いに異なるものとしてもよい。こうすることで、母国語が互いに異なる複数の操作者が紙幣処理装置１を共用する場合に、各操作表示部に、各操作者が得意な互いに異なる言語で情報を表示させることができる。
【００９２】
また、媒体処理装置が処理対象とする媒体は、紙幣には限られず、例えば、小切手又は商品券のような他の紙葉類であってもよいし、硬貨のような形態が紙葉ではないものであってもよい。
【産業上の利用可能性】
【００９３】
本発明は、紙幣、硬貨等の媒体を処理する媒体処理装置として好適に利用される。
【符号の説明】
【００９４】
１  紙幣処理装置
１０  処理部
１１  入金部
１２  出金部
１３  リジェクト紙幣排出部
１４  リジェクト紙幣ストッパ
１５  第１操作表示部
１５Ａ、１５Ｂ、１５Ｃ  光の帯
１６  第２操作表示部
１７  第３操作表示部
２０  収納庫
Ｈ  手
【図１】
2019079252.tif 000003
【図２Ａ】
2019079252.tif 000004
【図２Ｂ】
2019079252.tif 000005
【図２Ｃ】
2019079252.tif 000006
【図３Ａ】
2019079252.tif 000007
【図３Ｂ】
2019079252.tif 000008
【図３Ｃ】
2019079252.tif 000009
【図４】
2019079252.tif 000010